【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
列状に配列させた複数の発光素子を含む露光ヘッドと、該露光ヘッドと所定のケーブルによって接続され該露光ヘッドに画像データを転送する転送制御部とを有し、前記発光素子を選択的に露光させることにより画像を形成する画像形成装置であって、
前記転送制御部は、
前記画像データと、前記発光素子を駆動するための制御信号とを受け入れて、複数ビットのパラレルデータに多重化して出力する多重化部と、
前記多重化部により多重化された前記複数ビットのパラレルデータと、クロック信号とを受け入れて、差動シリアルデータ対と差動クロック信号対とに変換して出力する変換部を備え、
前記露光ヘッドは、
前記所定のケーブルを介して、前記差動シリアルデータ対と前記差動クロック信号対とを受け入れて、前記複数ビットのパラレルデータと前記クロック信号とに変換して出力する逆変換部と、
前記逆変換部により変換された前記複数ビットのパラレルデータを前記画像データと前記制御信号とに分離して出力する分離部と、
前記分離部により分離された前記画像データと前記制御信号を受け入れて前記発光素子を駆動する駆動部とを備えることを特徴とする画像形成装置。
【請求項２】
列状に配列させた複数のＬＥＤ素子を含むＬＥＤヘッドと、該ＬＥＤヘッドと所定のケーブルによって接続され該ＬＥＤヘッドに画像データを転送する転送制御部とを有し、前記ＬＥＤ素子を選択的に露光させることにより画像を形成する画像形成装置であって、
前記転送制御部は、
前記画像データと、前記ＬＥＤ素子を駆動するための制御信号とを受け入れて、複数ビットのパラレルデータに多重化して出力する多重化部と、
前記多重化部により多重化された前記複数ビットのパラレルデータと、クロック信号とを受け入れて、差動シリアルデータ対と差動クロック信号対とに変換して出力する変換部を備え、
前記ＬＥＤヘッドは、
前記所定のケーブルを介して、前記差動シリアルデータ対と前記差動クロック信号対とを受け入れて、前記複数ビットのパラレルデータと前記クロック信号とに変換して出力する逆変換部と、
前記逆変換部により変換された前記複数ビットのパラレルデータを前記画像データと前記制御信号とに分離して出力する分離部と、
前記分離部により分離された前記画像データと前記制御信号を受け入れて前記列状に配列された複数のＬＥＤ素子を駆動する駆動部とを備えることを特徴とする画像形成装置。
【請求項３】
列状に配列させた複数のＬＥＤ素子を含むＬＥＤヘッドと、該ＬＥＤヘッドと所定のケーブルによって接続され該ＬＥＤヘッドに画像データを転送する転送制御部とを有し、前記ＬＥＤ素子を選択的に露光させることにより画像を形成する画像形成装置であって、
前記転送制御部は、
前記画像データと、前記ＬＥＤ素子を駆動するための制御信号、及び、クロック信号をパラレルに受け入れて、複数ビットのパラレルデータに多重化して出力する多重化部と、前記複数ビットのパラレルデータを受け入れて、差動シリアルデータ対に変換して出力する変換部を備え、
前記ＬＥＤヘッドは、
前記差動シリアルデータ対を前記所定のケーブルを介して受け入れて、複数ビットのパラレルデータに逆変換して出力する逆変換部と、前記複数ビットのパラレルデータに基づいてクロック信号を再生するクロック信号再生部と、前記複数ビットのパラレルデータを前記画像データと前記制御信号とに分離して出力する分離部と、前記画像データと前記制御信号を受け入れて前記列状に配列された複数のＬＥＤ素子を駆動する駆動部とを備えることを特徴とする画像形成装置。
【請求項４】
前記ＬＥＤヘッドは、所定のデータを記憶する不揮発性メモリを更に備え、
前記転送制御部から、前記制御信号を用いて、前記所定のデータを読み出すことにより、前記所定のケーブルの接続異常を検出することを特徴とする請求項２又は請求項３に記載の画像形成装置。
【請求項５】
前記転送制御部は、前記逆変換部、及び前記分離部に供給し、該逆変換部、及び該分離部の動作を停止させるパワーダウン信号を生成するパワーダウン信号生成部を更に備え、前記転送制御部の起動開始から所定の時間前記逆変換部、及び、前記分離部に前記パワーダウン信号を供給することを特徴とする請求項１から請求項４の何れか一項に記載の画像形成装置。
【手続補正２】
【補正対象書類名】明細書
【補正対象項目名】０００５
【補正方法】変更
【補正の内容】
【０００５】
本発明は、列状に配列させた複数の発光素子を含む露光ヘッドと、該露光ヘッドと所定のケーブルによって接続され該露光ヘッドに画像データを転送する転送制御部とを有し、上記発光素子を選択的に露光させることにより画像を形成する画像形成装置であって、上記転送制御部は、上記画像データと、上記発光素子を駆動するための制御信号とを受け入れて、複数ビットのパラレルデータに多重化して出力する多重化部と、上記多重化部により多重化された上記複数ビットのパラレルデータと、クロック信号とを受け入れて、差動シリアルデータ対と差動クロック信号対とに変換して出力する変換部を備え、上記露光ヘッドは、上記所定のケーブルを介して、上記差動シリアルデータ対と上記差動クロック信号対とを受け入れて、上記複数ビットのパラレルデータと上記クロック信号とに変換して出力する逆変換部と、上記逆変換部により変換された上記複数ビットのパラレルデータを上記画像データと上記制御信号とに分離して出力する分離部と、上記分離部により分離された上記画像データと上記制御信号を受け入れて上記発光素子を駆動する駆動部とを備えることを特徴とする。
他の発明は、列状に配列させた複数のＬＥＤ素子を含むＬＥＤヘッドと、該ＬＥＤヘッドと所定のケーブルによって接続され該ＬＥＤヘッドに画像データを転送する転送制御部とを有し、上記ＬＥＤ素子を選択的に露光させることにより画像を形成する画像形成装置であって、上記転送制御部は、上記画像データと、上記ＬＥＤ素子を駆動するための制御信号とを受け入れて、複数ビットのパラレルデータに多重化して出力する多重化部と、上記多重化部により多重化された上記複数ビットのパラレルデータと、クロック信号とを受け入れて、差動シリアルデータ対と差動クロック信号対とに変換して出力する変換部を備え、上記ＬＥＤヘッドは、上記所定のケーブルを介して、上記差動シリアルデータ対と上記差動クロック信号対とを受け入れて、上記複数ビットのパラレルデータと上記クロック信号とに変換して出力する逆変換部と、上記逆変換部により変換された上記複数ビットのパラレルデータを上記画像データと上記制御信号とに分離して出力する分離部と、上記分離部により分離された上記画像データと上記制御信号を受け入れて上記列状に配列された複数のＬＥＤ素子を駆動する駆動部とを備えることを特徴とする。
更に他の発明は、列状に配列させた複数のＬＥＤ素子を含むＬＥＤヘッドと、該ＬＥＤヘッドと所定のケーブルによって接続され該ＬＥＤヘッドに画像データを転送する転送制御部とを有し、上記ＬＥＤ素子を選択的に露光させることにより画像を形成する画像形成装置であって、上記転送制御部は、上記画像データと、上記ＬＥＤ素子を駆動するための制御信号、及び、クロック信号をパラレルに受け入れて、複数ビットのパラレルデータに多重化して出力する多重化部と、上記複数ビットのパラレルデータを受け入れて、差動シリアルデータ対に変換して出力する変換部を備え、上記ＬＥＤヘッドは、上記差動シリアルデータ対を上記所定のケーブルを介して受け入れて、複数ビットのパラレルデータに逆変換して出力する逆変換部と、上記複数ビットのパラレルデータに基づいてクロック信号を再生するクロック信号再生部と、上記複数ビットのパラレルデータを上記画像データと上記制御信号とに分離して出力する分離部と、上記画像データと上記制御信号を受け入れて上記列状に配列された複数のＬＥＤ素子を駆動する駆動部とを備えることを特徴とする。